(57)【要約】      （修正有）【課題】安価に製造でき、プリント基板の両面に照明効果が得られる照明装置を提供する。【解決手段】照明装置１０は、一面から反対面までの厚みを貫通するスリット２２が形成された板状のプリント基板２０と、プリント基板２０の両面から見えるように、スリット２２内に配置される発光部材３０と、を有する。発光部材３０はスリット２２の貫通方向に対して略直交する方向を向いて配置されており、側方に向かって発光し、プリント基板２０の長手方向に沿って複数個並んで配置される。【選択図】図１
2011040322.tif 000002
【特許請求の範囲】
【請求項１】
一面から反対面までの厚みを貫通するスリットが形成された板状のプリント基板と、
前記プリント基板の両面から見えるように、前記スリット内に配置される発光部材と、
を有する照明装置。
【請求項２】
前記発光部材は、前記スリットの貫通方向に対して略直交する方向を向いて配置されており、側方に向かって発光する請求項１記載の照明装置。
【請求項３】
前記プリント基板は、長板状に形成されており、
前記スリットは、前記プリント基板の長手方向に沿って延びるように形成されており、
前記発光部材は、前記スリット内において、長手方向に沿って複数個が並んで配置されている請求項１または請求項２記載の照明装置。
【請求項４】
前記発光部材の光る順序を制御する制御部をさらに有する請求項３記載の照明装置。
【請求項５】
前記制御部は、複数の前記発光部材を、並んだ順番に発光するように制御する請求項４記載の照明装置。
【発明の詳細な説明】
【技術分野】
【０００１】
本発明は、照明装置に関し、より詳細には、一つの発光部材によって両面に照明効果が得られる照明装置に関する。
【背景技術】
【０００２】
近年、様々な施設において、あるいは催しの際に、種々の照明装置が用いられている。例えば、クリスマスには、街路樹や建物の壁に照明装置が飾りつけられて、町中が幻想的な雰囲気や、楽しい雰囲気にされる。
【０００３】
このような照明装置には、ＬＥＤ等の発光部材をプリント基板の表面に配置するものがある（特許文献１参照）。
【先行技術文献】
【特許文献】
【０００４】
【特許文献１】特開２００８−１０８７２８号公報（第４図）
【発明の概要】
【発明が解決しようとする課題】
【０００５】
しかしながら、特許文献１記載の発光装置では、発光部材が、プリント基板の片面にだけ形成されている。したがって、例えば、街路樹に吊り下げた場合、片面側にしか照明効果が得られない。
【０００６】
一方で、両面に照明効果を得るためには、プリント基板の両面にＬＥＤ等の発光部材を配置することが考えられる。しかし、両面に発光部材を配置すると、部品点数が多くなり、その分、製造コストが増大してしまう。
【０００７】
本発明は、上記事情に鑑みてなされたものであり、安価に製造でき、両面に照明効果が得られる照明装置を提供することを目的とする。
【課題を解決するための手段】
【０００８】
照明装置は、プリント基板と、発光部材とを有する。プリント基板は、一面から反対面までの厚みを貫通するスリットが形成されている。発光部材は、プリント基板の両面から見えるように、スリット内に配置される。
【発明の効果】
【０００９】
本発明の照明装置は、基板を貫通するスリット内に発光部材が配置されている。したがって、発光部材はプリント基板のどちらの面からでも視認される。したがって、発光部材による発光も、基板の両面から視認できるので、プリント基板の両面に照明効果が得られる。また、スリット内に配置された発光部材を両面から楽しむことができるので、両面に照明効果を得るために一面とその裏面の両方に発光部材を配置する必要がない。したがって、発光部材の数を低減でき、その分、製造コストも低減できる。
【図面の簡単な説明】
【００１０】
【図１】照明装置の斜視図である。
【図２】照明装置の平面図である。
【図３】照明装置の側面図である。
【発明を実施するための形態】
【００１１】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１２】
図１は照明装置の斜視図、図２は照明装置の平面図、図３は照明装置の側面図である。
【００１３】
図１〜３に示すように、照明装置１０は、プリント基板２０と、プリント基板２０に配列された発光部材３０と、プリント基板２０上に配置された制御部４０と、プリント基板２０および発光部材３０を保護するケース５０とを有する。本実施形態では、プリント基板２０に対する発光部材３０の配置を主に説明するため、配線等の他のプリント基板２０の構成については、図１〜３では一部省略して記載している。
【００１４】
プリント基板２０は、長板状に形成されており、図１中の上面（一面）から下面（反対面）までの厚みを貫通するスリット２２が形成されている。スリット２２は、プリント基板２０の長手方向に沿ってプリント基板２０の範囲内に伸延して形成されている。
【００１５】
発光部材３０は、たとえば、ＬＥＤや電球などの光を発生する光源である。発光部材３０は、拡散型の発光素子であり、前方だけでなく、側方にも光を照射する。発光部材３０は、端子がプリント基板２０の図示しない配線と電気的に接続されている。発光部材３０は、プリント基板２０に形成されたスリット２２内に配置され、プリント基板２０の両面（図１の上面および下面）側から見える。つまり、図３の２点鎖線で囲う部分拡大図に示されるように、発光部材３０は、プリント基板２０の上面および下面の両側に露出している。発光部材３０は、スリット２２の長手方向を向いて、すなわち、スリット２２の貫通方向に対して略直交する方向を向いて配置されている。発光部材３０は、拡散型が採用されているので、白抜き矢印で示すように、プリント基板２０の両面から発光できる。
【００１６】
発光部材３０は、スリット２２内において、長手方向に沿って複数個が並んで配置されている。
【００１７】
制御部４０は、プリント基板２０の図示しない配線に接続されている。制御部４０には予め、発光部材３０を制御するためのプログラムが入力されており、発光部材３０の光る順序を制御する。例えば、制御部４０は、プログラムによって、発光部材３０を端から並んだ順番に発光するように制御する。このように発光部材３０を制御すると、まるで、雫が落ちるように見える。発光部材３０が発光する間隔も調整可能である。これによって、光の雫が落ちるスピードが変えられる。
【００１８】
ケース５０は、透明カバー５２と、透明なカバー５２の端部を保持する保持部５４とを有する。透明なカバー５２は、たとえば、円筒状に形成されており、発光部材３０からの発光が外部によく見えるようにしつつ、埃や衝撃等からプリント基板２０および発光部材３０を保護する。プリント基板２０は、透明なカバー５２の内部に形成された溝（不図示）に保持されている。あるいは、プリント基板２０は、保持部５４の内面において固定されてもよい。
【００１９】
保持部５４は、透明カバー５２の両端に取り付けられ、プリント基板２０等を保護すると共に、プリント基板２０の脱落を防止する。保持部５４の一端には、コネクタ５６ａ、５６ｂが取り付けられている。コネクタ５６ａは、雌コネクタであり、コネクタ５６ｂは雄コネクタである。図２に示すように、雌コネクタ５６ａは、電源に挿入可能なアダプタユニット６０と接続可能である。雄コネクタ５６ｂには、他の照明装置１０の雌コネクタ５６ａを接続可能である。これによって、複数の照明装置１０を連結できる。なお、雄コネクタ５６ｂに、アダプタユニット６０が取り付けられ、雌コネクタ５６ａに他の照明装置１０が取り付けられてもよい。
【００２０】
以上のように、本実施形態の照明装置１０によれば、プリント基板２０にスリット２２が形成されており、スリット２２内に発光部材３０が配置されている。したがって、発光部材３０はプリント基板２０のどちらの面からでも視認される。したがって、発光部材３０による発光も、プリント基板２０の両面から視認できるので、プリント基板２０の両面に照明効果が得られる。また、スリット２２内に配置された発光部材３０を両面から楽しむことができるので、両面に照明効果を得るために一面とその裏面の両方に発光部材を配置する必要がない。したがって、発光部材３０の数を低減でき、その分、製造コストも低減できる。なお、プリント基板２０の厚みを発光部材の太さよりも薄くすれば、プリント基板２０の両面だけでなく、側面にも光を照射できる。この場合、ケース５０の３６０度に近い範囲にわたって照明効果が得られる。
【００２１】
発光部材３０は、スリット２２の貫通方向に対して略直交する方向に向いている。すなわち、プリント基板２０の平面に対して垂直方向に向いていない。しかし、発光部材３０が拡散型のために側方に発光するので、スリット２２の両側から、プリント基板２０の両面に照明効果が得られる。
【００２２】
なお、上記実施形態では、スリット２２の中に複数の発光部材３０が配置される例を示したが、本発明はこれに限定されない。単一の発光部材３０がスリット２２内に配置されてもよい。また、上記実施形態では、発光部材３０が一列に並んで配置されているが、これに限定されない。スリット２２の範囲内に、複数列の発光部材３０が配置されることもできる。あるいは、発光部材３０は、スリット２２の範囲内にランダムに配置することもできる。プリント基板２０の両面に抜けるスリット２２内に発光部材３０を配置して、両面に照明効果が得られる限り、発光部材３０はいかなるパターンで配置されてもよい。
【符号の説明】
【００２３】
１０  照明装置、
２０  プリント基板、
２２  スリット、
３０  発光部材、
４０  制御部、
５０  ケース、
５２  透明カバー
５４  保持部、
５６ａ、５６ｂ  コネクタ
６０  アダプタユニット
【図１】
2011040322.tif 000003
【図２】
2011040322.tif 000004
【図３】
2011040322.tif 000005